(57)【要約】【課題】  機械的変化、特に材料の疲労および摩耗を早期に検出し、乗車の安全性を高める。【解決手段】  機械的変化、特に材料の疲労と摩耗を早期に検出するためのセンサシステム（１）であって、受入領域（２１）を有するセンサハウジング（２）と、センサヘッド（４）と、を有し、前記センサヘッド（４）は、前記センサハウジング（２）の前記受入領域（２１）に保持され、少なくとも部分的に前記センサハウジング（２）から突き出ており、前記センサヘッド（４）は、少なくとも１つの測定導体（５０）を備えた破損体（４０）を含み、前記少なくとも１つの測定導体（５０）は、前記センサハウジング（２）内の少なくとも１つの測定電子回路（２５）によって電気的に接続されており、前記少なくとも１つの測定導体（５０）の電気抵抗は、前記測定電子回路（２５）によって検出可能であるセンサシステム（１）。【選択図】図１
2021524031.tif 000002
【特許請求の範囲】
【請求項１】
機械的変化、特に材料の疲労と摩耗を早期に検出するためのセンサシステム（１）であって、
受入領域（２１）を有するセンサハウジング（２）と、
センサヘッド（４）と、
を有し、
前記センサヘッド（４）は、前記センサハウジング（２）の前記受入領域（２１）に保持され、少なくとも部分的に前記センサハウジング（２）から突き出ており、
前記センサヘッド（４）は、少なくとも１つの測定導体（５０）を備えた破損体（４０）を含み、
前記少なくとも１つの測定導体（５０）は、前記センサハウジング（２）内の少なくとも１つの測定電子回路（２５）によって電気的に接続されており、
前記少なくとも１つの測定導体（５０）の電気抵抗は、前記測定電子回路（２５）によって検出可能である
センサシステム（１）。
【請求項２】
請求項１に記載のセンサシステム（１）であって、
前記破損体（４０）が電気絶縁材料でできており、前記少なくとも１つの測定導体（５０）が前記破損体（４０）の中又は前記破損体（４０）上に接触ループ（５１）として配置されていることを特徴とするセンサシステム（１）。
【請求項３】
請求項１又は請求項２に記載のセンサシステム（１）であって、
前記測定導体（５０）と前記測定電子回路（２５）との間の少なくとも１つの電気接続（３５）がプラグ接続であることを特徴とするセンサシステム（１）。
【請求項４】
請求項１乃至請求項３の何れか一項に記載のセンサシステム（１）であって、
前記センサヘッド（４）は、前記電気的接続（３５）により前記センサハウジング（２）の前記受入領域（２１）に形状を組み合わせること及び／又は力が加えられることで保持されることを特徴とするセンサシステム（１）。
【請求項５】
請求項１乃至請求項４の何れか一項に記載のセンサシステム（１）であって、
前記センサハウジング（２）と前記センサヘッド（４）との間の前記受入領域（２１）にガイド（７）が設けられ、前記ガイド（７）が衝撃を減衰させる材料でできていることを特徴とするセンサシステム（１）。
【請求項６】
請求項１乃至請求項５の何れか一項に記載のセンサシステム（１）であって、
前記破損体（４０）が脆性材料、好ましくはセラミック材料又はガラスでできていることを特徴とするセンサシステム（１）。
【請求項７】
請求項１乃至請求項６の何れか一項に記載のセンサシステム（１）であって、
前記破損体（４０）が弾性材料、好ましくはゴム、特に硬質ゴムでできていることを特徴とするセンサシステム（１）。
【請求項８】
請求項１乃至請求項７の何れか一項に記載のセンサシステム（１）であって、
前記破損体（４０）は、壁（４１）を備えたアンプルを有し、前記壁（４１）は、媒体（６）を有する容器を取り囲むことを特徴とするセンサシステム（１）。
【請求項９】
請求項８に記載のセンサシステム（１）であって、
前記少なくとも１つの測定導体（５０）が前記壁（４１）の中又は前記壁（４１）上において延びていることを特徴とするセンサシステム（１）。
【請求項１０】
請求項８又は請求項９に記載のセンサシステム（１）であって、
前記媒体（６）は導電性を有し、前記少なくとも１つの測定導体（５０）は、第１の電極（５２）及び第２の電極（５３）から形成され、これらは、前記破損体（４０）内で互いに離間して突出していることを特徴とするセンサシステム（１）。
【請求項１１】
請求項８乃至請求項１０の何れか一項に記載のセンサシステム（１）であって、
前記媒体（６）が液体及び／又は気体を含み、前記媒体（６）が視覚的及び／又は光学的及び／又は嗅覚的に知覚可能なマーカを有していることを特徴とするセンサシステム（１）。
【請求項１２】
請求項８乃至請求項１１の何れか一項に記載のセンサシステム（１）であって、
前記媒体（６）が、注ぐことができる粒状又は塊状の混合物を含むことを特徴とするセンサシステム（１）。
【請求項１３】
請求項８乃至請求項１２の何れか一項に記載のセンサシステム（１）であって、
前記媒体（６）が前記センサヘッド（４）の中で加圧されていることを特徴とするセンサシステム（１）。
【請求項１４】
請求項１乃至請求項１３の何れか一項に記載のセンサシステム（１）であって、
前記センサヘッド（４）が実質的に円筒形状であり、前記センサヘッド（４）が前記受入領域（２１）において前記センサハウジング（２）によって放射方向に部分的に囲まれていることを特徴とするセンサシステム（１）。
【請求項１５】
請求項１乃至請求項１４の何れか一項に記載のセンサシステム（１）であって、
前記センサハウジング（２）は、少なくとも１つの取付手段（３０）を有し、前記少なくとも１つの取付手段（３０）は、前記センサハウジング（２）を、少なくとも１つの監視すべき構成部品に取り付けるように構成されていることを特徴とするセンサシステム（１）。
【請求項１６】
請求項１５に記載のセンサシステム（１）であって、
前記少なくとも１つの取付手段（３０）が雄ねじを有することを特徴とするセンサシステム（１）。
【請求項１７】
請求項１乃至請求項１６の何れか一項に記載のセンサシステム（１）であって、
前記センサハウジング（２）は、アミューズメント乗り物の監視回路に接続されるように構成されたセンサケーブル接続部（２６）を有することを特徴とするセンサシステム（１）。
【請求項１８】
請求項１乃至請求項１７の何れか一項に記載のセンサシステム（１）であって、
前記測定電子回路（２５）が無線ユニット（２８）を有し、前記無線ユニット（２８）によって前記少なくとも１つの測定導体（５０）の前記電気抵抗を無線で照会することができることを特徴とするセンサシステム（１）。
【請求項１９】
請求項１乃至請求項１８の何れか一項に記載のセンサシステム（１）であって、
前記無線ユニット（２８）は、制御及び読み出しが可能なＲＦＩＤチップであることを特徴とするセンサシステム（１）。
【請求項２０】
請求項１乃至請求項１９の何れか一項に記載のセンサシステムのセンサヘッド（４）であって、
前記センサヘッド（４）が、少なくとも１つの測定導体（５０）を備えた破損体（４０）を有するセンサヘッド（４）。
【請求項２１】
請求項２０に記載のセンサヘッド（４）であって、
前記破損体（４０）が電気絶縁材料でできており、前記少なくとも１つの測定導体（５０）が接触ループ（５１）として前記破損体（４０）の中又は前記破損体（４０）上に配置されていることを特徴とするセンサヘッド（４）。
【請求項２２】
請求項２０又は請求項２１に記載のセンサヘッド（４）であって、
前記破損体（４０）が脆性材料、好ましくはセラミック材料又はガラスでできているか、又は、前記破損体（４０）が弾性材料、好ましくはゴム、特に硬質ゴムでできていることを特徴とするセンサヘッド（４）。
【請求項２３】
請求項２０乃至請求項２２の何れか一項に記載のセンサヘッド（４）であって、
前記破損体（４０）は、壁（４１）を有し、前記壁（４１）は、媒体（６）を取り囲むことを特徴とするセンサヘッド（４）。
【請求項２４】
請求項２０乃至請求項２３の何れか一項に記載のセンサヘッド（４）であって、
前記媒体（６）は導電性を有し、前記少なくとも１つの測定導体（５０）は、第１の電極（５２）及び第２の電極（５３）から形成され、これらは、アンプル（４０）内で互いに離間して突出していることを特徴とするセンサヘッド（４）。
【請求項２５】
請求項２３又は請求項２４に記載のセンサヘッド（４）であって、
前記媒体（６）が液体であり、前記媒体（６）が視覚的及び／又は光学的及び／又は嗅覚的に知覚可能なマーカを有していることを特徴とするセンサヘッド（４）。
【請求項２６】
請求項１乃至請求項１９の何れか一項に記載のセンサシステム（１）を有するアミューズメント乗り物。
【請求項２７】
請求項２６に記載のアミューズメント乗り物であって、
前記センサシステム（１）の前記無線ユニット（２８）と通信するように構成された少なくとも１つの無線読取装置が設けられていることを特徴とするアミューズメント乗り物。
【請求項２８】
請求項２６又は請求項２７に記載のアミューズメント乗り物であって、
前記破損体（４０）から流れ出る媒体（６）を光学的に検出するように構成された少なくとも１つのカメラが設けられていることを特徴とするアミューズメント乗り物。
【発明の詳細な説明】
【技術分野】
【０００１】
本発明は、請求項１の特徴を有する、機械的変化を早期に検出するためのセンサシステムに関し、例えば乗り物の安全性を高めるのに役立つ。また、本発明は、センサシステムのための、請求項２０に係るセンサヘッドと、そのようなセンサシステムを備えた請求項２６に係るアミューズメント乗り物に関する。
【背景技術】
【０００２】
従来から、安全性を向上させるためのセンサシステムは、さまざまな構成で知られている。従来から知られているそのようなセンサシステムは、例えば、材料の摩耗又は疲労により発生する機械的変化を検出する。この目的で使用されるセンサは、アミューズメント乗り物の少なくとも1つの機械的負荷又は機械的変化を記録し、記録された値をデータベースに保存されている参照値と比較する。例えば、摩耗や疲労によって機械的負荷の変化が発生した場合、これらの変化はセンサによって早期に認識される。代替的に、そのようなセンサシステムは、第１の構成要素および冗長構成要素から形成されることができ、センサシステムは、冗長構成要素が負荷を引き継ぐ際に電気接点を開閉することによって第１の構成要素の故障を検出する。このようなセンサシステムは、たとえば特許文献１（ＤＥ  １０  ２０１４  １１４  ３３８  Ａ１）によって知られている。
【先行技術文献】
【特許文献】
【０００３】
【特許文献１】ＤＥ  １０  ２０１４  １１４  ３３８  Ａ１
【発明の概要】
【発明が解決しようとする課題】
【０００４】
この従来技術の不利な点は、アミューズメント乗り物の安全性を高めるための既知のセンサシステムが、障害の状態を検出するために、例えばケーブルを介してアミューズメント乗り物の監視回路に接続されたセンサシステムに電圧を供給する電源を必要とすることであることが明らかになっている。特に、移動する車両、客室、フローティング体などを備えた、例えばジェットコースタ又はウォータライドなどのアミューズメント乗り物においては、先行技術から知られているセンサシステムでは、センサシステムの決められた機能を確実にし、検出された信号をアミューズメント乗り物の監視回路に伝送するために、しばしば電圧源を一緒に移動させる必要がある。アミューズメント乗り物の安全性を高めるためのこのようなセンサシステムは、コストがかかることが明らかになっており、車両、客室、またはフローティング体の重量も増加し、さらに不利になる。
【０００５】
したがって、本発明の目的は、機械的変化、特に材料の疲労および摩耗を早期に検出するための、したがって、例えば、乗車の安全性を高めるためのセンサシステムを提供することであり、これにより、従来技術から知られているセンサシステムの欠点が排除される。特に、安全性を高めるセンサシステムは、電圧源に接続せずに駆動でき、特にアミューズメント乗り物で、材料に依存しない機械的変化を検出できる必要がある。
【０００６】
例えば、アミューズメント乗り物の部品の大部分は通常、金属材料で作られているが、アミューズメント乗り物の大部分の部品又は全体がプラスチックや木材などの非金属材料で作られたアミューズメント乗り物もある。本発明のセンサシステムは、すべての材料において機械的変化を制限なしに検出するために使用可能である。
【０００７】
センサシステムはまた、機械的変化、特に材料の疲労と摩耗の冗長な検出を可能にする必要があり、この冗長な検出は、さまざまな測定方法で検出され得る。これにより、アミューズメント乗り物で検出された機械的変化を互いに独立して検証できるため、誤った検出が減少し、全体としてアミューズメント乗り物の安全性の向上に貢献する。
【課題を解決するための手段】
【０００８】
この課題は、請求項１に記載のセンサシステム、請求項２０に記載のセンサヘッド、及び請求項２６の特徴を備えたアミューズメント乗り物によって達成される。従属する請求項は、本発明の有利な展開に関する。
【０００９】
機械的変化を早期に検出するための本発明によるセンサシステムは、受入領域及びセンサヘッドを備えたセンサハウジングを含み、センサヘッドは、センサハウジングの受入領域に保持され、少なくとも部分的にセンサハウジングを越えて突出している。センサハウジングは、雄ネジを備えた回転対称の特殊鋼管として構成することができ、雄ネジは、より好ましくはメートルネジであり、センサハウジング内の受入領域は、同軸に形成された止まり穴のように構成される。さらに、センサヘッドは、測定導体を備えた少なくとも1つの破損体を備えている。破損体は、好ましくは、弾性体又は脆性体である。少なくとも１つの測定導体は、センサハウジングに配置された測定電子回路に電気的に接続され、センサハウジングに配置された測定電子回路は、センサヘッドの測定導体の電気抵抗を検出する。センサヘッドの破損体が、少なくとも一部の領域で受入領域から突き出ており、この領域で監視対象の部品で発生する機械的変化にむき出しの状態でさらされるように、センサヘッドとセンサハウジングの受入領域の大きさが互いに調整されている。監視対象の部品に機械的変化が生じた場合には、破損体が破壊又は変形し、測定導体の電気抵抗が変化すること、又は、測定導体の導電性が失われることにより、監視対象の部品の機械的変化を電気信号で検出することができる。この目的のために、測定電子回路は、好ましくは、両端で測定導体に接続されている。測定電子回路は、測定導体の両端との電気接続を介して電気抵抗の変化を検出することを可能にする。この目的のために、測定導体は測定体に結合されている。
【００１０】
さらに、少なくとも１つの測定導体がＲＦＩＤ送信機／受信機システムに接続され、又は従来のフィードバック回路又は緊急停止回路に接続されるようにすることも可能である。
【００１１】
本発明のさらに有利な実施形態では、センサヘッドの破損体が電気絶縁材料でできており、少なくとも１つの測定導体が破損体の中または破損体上で接触ループとして延びている。少なくとも１つの測定導体は、好ましくは、破損体上で配置され、成形され、又は嵌め込むことができ、破損体は、測定導体を機械的影響から保護し、測定導体と隣接する構成部品との間の短絡を防止する。
【００１２】
さらに、少なくとも１つの測定導体は、媒体とは反対側を向いた壁の表面に配置することができ、好ましくは、保護層が、壁に設けられ、この保護層は、測定導体または接触ループを保護し、これらを電気的に絶縁して、さらに壁に固定する。
【００１３】
さらに、電気材料の形の少なくとも１つの測定導体を、破損体上又はその壁の中に配置することができる。
【００１４】
好ましくは、センサヘッドの少なくとも１つの測定導体とセンサハウジング内の測定電子回路との間の少なくとも１つの電気的接続が取り外し可能なプラグ接続である。これにより、センサヘッドを特に簡単な方法で交換でき、同時に、少なくとも1つの電気接続が確立される。少なくとも１つの電気接続は、好ましくは、センサハウジングの受入領域に配置される。センサヘッドの交換は、ユニットシステムによって実装することもできる。センサハウジングは標準的な構成部品とし、センサヘッドをそれぞれの場合に、意図された用途に適合する構成部品とすることができ、センサヘッドは、その寸法、すなわち、センサヘッドがセンサハウジングの受入領域から突出している程度、及び破損体の強度、選択された媒体を変えることができる。破損体の強度が高く構成されている程、監視対象の部品の検出される機械的変化は強くなければならない。
【００１５】
センサヘッドは、電気接点で、形状が組み合わせること及び／又は力が加えられることでセンサハウジングの受入領域に保持されることがさらに好ましく、その結果、電気接点以外に、受入領域にセンサヘッドをロックするためのさらなる固定手段が必要ない。
【００１６】
本発明のさらに有利な実施形態では、ガイドがセンサハウジングとセンサヘッドとの間の受入領域に設けられ、それによってセンサヘッドが振動機械的にセンサハウジングから切り離されるか、又は衝撃が減衰されるように支持されて保持される。ガイドは、エラストマ又はゴム弾性ポリマから形成されることが好ましく、ガイドは、センサヘッドにクランプ力を加えることがより好ましい。ガイドのクランプ力により、センサヘッドが受入開口部に保持される。ガイドは、硬度７０ショアの衝撃減衰材料で形成されるのが特に好ましい。さらに、ガイドは、センサヘッドとセンサハウジングの機械的相互作用、例えばアミューズメント乗り物の監視対象の部品の振動による破損体の故障を防ぐ。
【００１７】
また、破損体が脆性材料でできている場合にも有利である。特に、破損体がセラミック材料、ガラス又はガラスセラミックから作られている場合にも有利であることが判明している。特に、ガラスは機械的、電気的、化学的特性に優れており、このような破損体を備えたセンサヘッドもさまざまなサイズで安価に製造できるため、材料としてガラスが好ましい。ただし、破損体を構成する材料又は材料の組み合わせは、任意に選択可能である。例えば、プラスチックも使用できる。
【００１８】
破損体は、好ましくは、弾性材料、例えばプラスチックで作ることができ、または特にゴム、硬質ゴムなどの弾性材料を使用することができる。
【００１９】
破損体がアンプルとして構成され、媒体を囲む壁を有すると、さらに有利であることが判明している。壁は、破損体が入った容器を形成することができる。媒体は、例えば、光学的及び／又は視覚的及び／又は音響的及び／又は嗅覚的測定方法のための指標として使用することができる。これにより、監視対象の部品の機械的変化の光学的及び／又は視覚的及び／又は音響的及び／又は嗅覚的に早期検出が可能になる。本発明において、密閉された容器とは、初期状態、すなわち、破壊、又は変形していない状態で、封入された媒体を密閉、すなわち、拡散せずに保管するように構成される容器を意味すると理解される。さらに、本発明において、媒体はさらに、凝集の固体、液体または気体状態の任意のタイプで、流動性及び／又は注入性を有する媒体を意味すると理解され得る。固体状態の媒体は、粒状又は塊状の混合物を含む場合、注入性を有する。
【００２０】
本発明の有利な実施形態によれば、少なくとも１つの測定導体は、破損体又はアンプルの壁の中又は壁上に配置される。壁は測定導体を機械的影響から保護し、測定導体と隣接する部品との間の短絡を壁によって防ぐことができる。
【００２１】
さらに、破損体又はアンプル内の媒体が導電性を有し、少なくとも１つの測定導体が少なくとも１つの第１の電極及び少なくとも１つの第２の電極から形成されると有利であると判明している。第１の電極及び第２の電極は、互いに離れて破損体内に配置され、媒体内に突出している。したがって、少なくとも１つの第１の電極と少なくとも１つの第２の電極との間の電気抵抗は、センサハウジング内の測定電子回路によって検出することができる。監視対象の部品の機械的変化により破損体が破壊された場合、媒体が破損体から流出し、少なくとも１つの第１電極と少なくとも１つの第２電極との間の電気抵抗が変化し、それにより部品の機械的変化を電気的に検出することができる。
【００２２】
本発明のさらに有利な実施形態によれば、破損体又はアンプル内の媒体は、液体及び／又は気体である。より好ましくは、破損体によって形成されたアンプル内の媒体は、光学的及び／又は視覚的及び／又は嗅覚的に知覚可能なマーカを備えており、破損体が破壊された場合、媒体と一緒に流出し、注ぎ出され、又は、大量に流れ出し、少なくとも１つの監視されるべき部品をマークする。マーカによるマーキングは、たとえばカメラを使用して視覚的に、または乗り物のサービスマンが視覚的に読み取るか、監視することができる。嗅覚の観点から、マーカは、サービスマンが感覚的に知覚できる臭いを放出し、又は動物、例えば昆虫の誘引剤として機能し、それがマーカとして機能し得る。隣接するセンサシステムの液体には、異なる光学的及び／又は視覚的及び／又は嗅覚的なマーカを提供することができ、隣接するセンサシステムの区別をすることができる。媒体には、化学反応を引き起こすように構成された化学添加物を含めることもでき、その結果、知覚の改善を達成することができる。このような化学添加剤は、例えば、イオン性流体であってもよい。媒体はさらに、非ニュートン流体又は熱流体を含むことができる。媒体はまた、例えば、煤煙ガス、煤煙粉末又は爆鳴気、又は、例えば、芳香剤等の臭気の強い添加物であり得、芳香剤は、例えば、快又は不快であると認識される精油が使用される。たとえば、通称「悪臭爆弾」として知られている硫化水素、または「ペッパースプレー」として知られている防御物質を使用することができる。
【００２３】
さらに、本発明によれば、媒体は、全体的又は部分的に注ぐことができ、固体凝集状態の粒状又は塊状の混合物を含むことができる。媒体は、例えば、ガラス、セラミック、プラスチック、金属粒子及び／又は金属ビーズ及び／又は金属小板を含むことができる。この全体的又は部分的に注ぐことができる媒体は、反応を引き起こし得る。
【００２４】
本発明のさらなる実施形態によれば、センサヘッド内の媒体は、センサヘッドへの特定の圧力又は力が少なくとも１つの測定導体に作用し、電気接続を切断又は開放することによって電気信号を生成するように構成することができる。特に、破損体が弾性材料でできており、センサヘッドの変形する際に、導電性媒体、特に、注ぐことが可能な媒体が測定導体との接触を引き起こすことが好適であり得る。特に、注ぐことが可能な媒体が小さな金属板を含むことが好適であり得る。
【００２５】
さらにセンサヘッド内の媒体が加圧されていることが好適であることが判明している。媒体の加圧により、センサヘッドの最も細かい亀裂だけで、媒体がセンサヘッドから出て、光学的及び／又は視覚的に認識できるマークを残すことを確実にできる。センサヘッド内の媒体は、例えば、数パスカルから大気圧の数倍までの超過圧を有し得る。
【００２６】
本発明によるセンサシステムのさらに好ましい実施形態は、センサシステムが、少なくとも１つの測定導体の電気抵抗又は少なくとも１つの測定導体の電気伝導度を照会することができる無線ユニットを有する。無線ユニットは、センサハウジング内の別個の電気部品として配置することも、測定電子回路に統合することもできる。無線ユニットは、アミューズメント乗り物の読取装置と通信するように構成されている。
【００２７】
さらに、無線ユニットが、ＵＨＦ周波数を介して制御及び読み出しが可能なＲＦＩＤチップである場合は特に好ましい。それぞれの無線ユニットは、照会時に読取装置に渡される一意の識別子を持っているため、監視対象の少なくとも１つの部品の機械的変化の検出をその部品に正確に割り当てることができる。ＲＦＩＤチップは、読取装置の周波数によって起動され、短時間持続する固有の電流又は電圧を生成し、この電流又は電圧は、センサヘッドの測定導体を通過する。この電流又は電圧の通過により、特別のエネルギ源を搭載する必要なしに、測定導体の電気抵抗又は電気伝導度をチェックすることができる。読取装置は信号を受信し、さらに好適には、読取装置はアミューズメント乗り物の監視回路に統合される。エラーが検出された場合、エラー信号を生成することができ、例えば、アミューズメント乗り物の緊急停止を実行することができる。
【００２８】
本発明のさらに好適な実施形態は、センサヘッド及び／又はセンサハウジングが本質的に円筒形状を有しており、センサヘッドが受入領域においてセンサハウジングによって放射状に部分的に囲まれている。特に、センサヘッドや破損体の放射状の形状により、特に簡単な製造が可能である。
【００２９】
さらに、好適には、センサハウジングが、監視されるべき少なくとも１つの構成部品にセンサハウジングを固定するように構成された少なくとも１つの取付手段を有する。取付手段は、監視されるべき少なくとも１つの構成部品との形状の組み合わせによる接続及び／又は力を加えることによる接続を形成することができ、本発明の意味での材料による接続は、監視されるべき少なくとも１つの構成部品にセンサハウジングを固定するために同様に使用することができる。
【００３０】
取付手段は、特に好ましくは、標準化された雄ネジとして、例えば、ＤＩＮ １３に準拠したメートル法のＩＳＯ細ネジとして構成される。これにより、センサシステムを、大きな労力なしに搭載及び配置することができる。
【００３１】
センサハウジングは、さらに、アミューズメント乗り物の監視回路に接続するように構成されたセンサケーブル接続部を有することができる。監視回路は、例えば、フィードバック回路、非常停止回路等であってもよく、測定導体は、好ましくは、常閉接点として動作し得る。さらに、ケーブルの断線を認識して読み取ることも考えられる。特に、監視回路への有線接続と、無線ユニットによる無線監視と、媒体の起こりうる光学的及び／又は視覚的検出との組み合わせは、多重冗長性を形成することができ、この多重冗長性により監視されるべき少なくとも１つの構成部品の機械的変化の誤検出を減少させることができる。
【００３２】
さらに、本発明は、センサヘッドに関するものであり、ここで、センサヘッドは、測定導体を備える破損体を有する。破損体は、好ましくは、破砕しやすい材料、好ましくはガラス又はセラミック、または変形しやすい材料、例えばゴムのいずれかで形成され、中が詰まった又は中空の容積体であり、さらに好ましくは、長手方向に沿って円筒状に形成され、一端において破損体脚部が形成され、他端において破損体頭部が形成されていることが好ましい。破損体脚部はセンサハウジングに結合するように構成されており、破損体頭部は、監視すべき少なくとも１つの部品の方向に少なくとも一部の領域で突き出るように構成されている。
【００３３】
さらに、好適には、センサヘッドの測定導体が接触ループとして構成され、接触ループは、Ｕ字形の導電体から形成され、Ｕ字形の導電体は、本質的に破損体足部から破損体頭部まで往復するように破損体の中、壁の中、破損体上又は壁上に伸びる。導電体の自由端はそれぞれ、接点に接続されており、この接点は、電気接続によってセンサハウジング内の測定電子回路に電気的に接続されるように構成されている。
【００３４】
本発明によれば、好適には、破損体が媒体を取り囲む壁を有する。媒体は、すでに詳細に説明したように、光学的及び／又は視覚的及び／又は音響的及び／又は嗅覚的な測定方法の指標として使用することができる。破損体の壁は、媒体を囲む容器を形成する。
【００３５】
さらに、好適には、破損体又はアンプルに封入された媒体が導電性を有し、少なくとも１つの測定導体が少なくとも１つの第１の電極及び少なくとも１つの第２の電極から形成される。第１の電極と第２の電極は、破損体において互いに間隔を置いて配置され、媒体内に突出している。したがって、少なくとも１つの第１の電極と少なくとも１つの第２の電極との間の電気抵抗は、センサハウジング内の測定電子回路によって検出することができる。破損体が破壊されると、媒体が破損体から出て、少なくとも１つの第１の電極と少なくとも１つの第２の電極との間の電気的接続が遮断される。
【００３６】
好適には、センサヘッド内の媒体がマーカを有している。マーカは、特に好ましくは、視覚的及び／又は光学的に検出可能な手段である。マーカは、媒体が蛍光性を有するものであることがより好ましい。
【００３７】
センサヘッド又は破損体の媒体が加圧されている場合には、より好適であることが判明している。
【００３８】
センサヘッドの別の実施形態では、測定電子回路及び／又は無線ユニットが、センサヘッドに接して、又はセンサヘッド内に配置されている。さらに、測定電子回路は、破損体又はアンプルの壁上又は壁の中に配置され得る。
【００３９】
本発明の別の態様は、本発明による少なくとも１つのセンサシステムを備えたアミューズメント乗り物に関する。本発明によるセンサシステムは、アミューズメント乗り物の製造中に監視されるべき少なくとも１つの構成部品に取り付けられるか、若しくは、既存のアミューズメント乗り物の監視されるべき少なくとも１つの構成部品にケーブル接続の大きな労力なしに後付けされ得る。
【００４０】
本発明の別の好適な実施形態では、アミューズメント乗り物の安全性を高めるためにセンサシステムの無線ユニットと通信するように構成された少なくとも１つの読取装置をアミューズメント乗り物が有する。読取装置は、例えば、ローラコースタの場合には、レールガイドに沿って配置され、その結果、読取装置は、車両が通過するときに、少なくとも１つの測定導体の電気抵抗又は少なくとも１つの測定導体の電気伝導率を、本発明の少なくとも１つのセンサで検出することができる。
【００４１】
さらに、好適には、アミューズメント乗り物は、媒体の光学的検出が可能なカメラベースの監視システムを少なくとも1つ有する。監視システムは、より好ましくは、媒体の光学的検出のために適切な光波が生成され、それによって光波が媒体を励起して蛍光を発する放射源を有する。光源は、好ましくはＵＶ（紫外線）光を放射し得る。
【発明の効果】
【００４２】
本発明のセンサシステムでは、機械的変化、特に材料の疲労および摩耗を早期に検出し、したがって、例えば、乗車の安全性を高められる。
【図面の簡単な説明】
【００４３】
【図１】センサハウジング及びセンサハウジングの受入領域に挿入され、ガラスアンプルとして形成された破損体を有するセンサヘッドを備えた、本発明によるセンサシステムの第１の例示的実施形態の斜視図である。
【図２】図１によるセンサシステムの簡略断面図である。
【図３】本発明によるセンサシステムの第２の例示的実施形態の斜視図である。
【図４】図３による例示的実施形態のさらなる斜視図である。
【図５】図１によるセンサシステムの概略的断面図である。
【図６】センサヘッドのさらなる展開の概略的断面図である。
【図７】アミューズメント乗り物の、レールで案内される車両への、図１に示す本発明によるセンサシステムの設置状況を概略的に示す図である。
【図８】図７に示すセンサシステムの設置状況の詳細図である。
【発明を実施するための形態】
【００４４】
本発明による本発明の２つの例示的な実施形態は、添付の図面を参照して以下に詳細に記載される。
【００４５】
センサヘッド４を備えた本発明によるセンサシステム１の２つの好適な例示的実施形態およびセンサヘッド４のさらなる展開を、図１乃至図８を参照して以下に詳細に説明する。なお、機能的に同一の部品については同じ参照記号が与えられる。
【００４６】
図１は、本発明によるセンサシステム１の第１の例示的な実施形態を示す図である。センサシステム１は、センサハウジング２及びセンサヘッド４を有し、センサハウジング２は、凹部として形成された受入領域２１を有する中空の円筒形ハウジング本体２０から形成されている。特に図２又は図５の断面図に示すように、ハウジング本体２０は、長手方向軸３に対して同軸に形成され、同様に長手方向軸３に対して同軸に整列されている受入領域２１を取り囲んでいる。
【００４７】
センサハウジング２又はハウジング本体２０は、図示される例示的実施形態では、細いねじＭ１２ｘｌとして構成される固定手段３０を有し、これにより、センサハウジング２は、例えば、図７及び図８に示されるように、監視すべき少なくとも１つの構成要素に固定される。
【００４８】
受入領域２１は、ハウジング本体２０の第１の端部の側に配置され、一方、センサケーブル接続部２６は、ハウジング本体２０の第２の端部の側に設けられる。センサケーブル接続部２６により、例えば、アミューズメント乗り物の監視回路への電気的接続が確立され得る。
【００４９】
センサヘッド４は、センサハウジング２の受入領域２１上に配置されるか、又は凹部として構成された受入領域２１に挿入され、ハウジング本体２０の第１の端部から長手方向軸３に沿ってむき出しの状態で突き出している。
【００５０】
センサヘッド４は、少なくとも１つの測定導体５０を備えた破損体４０を備え、破損体４０は、アンプルとしてガラス材料から作製することができ、媒体６を囲む壁４１を有することができる。あるいは、破損体４０は、測定導体５０を受け入れる中身の詰まったもの（図示せず）として構成することができる。
【００５１】
破損体４０内の媒体６は、任意の媒体、例えば、流動性の高い液体であり得る。さらに、この媒体は蛍光剤と混合することができる。
【００５２】
示される例示的実施形態では、破損体４０は、２つの測定導体５０を有し、これらは、それぞれ、導電性Ｕ字型接触ループ５１として構成されている。測定導体５０又は接触ループ５１は、壁４１の外側、すなわち、破損体足部４３と破損体頭部４２との間で、媒体６とは反対の側で延びている。さらに、図１及び図２は、接触ループ５１が破損体４０のほぼ全長にわたって延びることを示している。
【００５３】
ここで重要なのは、接触ループ５１が、第１の端部の受入領域２１又はセンサハウジング２からむき出しの状態で突出する特定の領域に沿って常に少なくとも部分的に延びることである。
【００５４】
破損体足部４３の領域において、破損体４０は、接触ループ５１ごとに２つの接点５５を有し、これらは、測定導体５０又は接触ループ５１によって互いに電気的に接続されている。したがって、各測定導体５０は、両端に接点５５を有する。
【００５５】
図２はまた、センサヘッド４が、長手方向軸３の周りに直径方向に（対蹠点に）配置された２つの接触ループ５１を有することを示している。接触ループ５１を保護するために、破損体４０は、例えば、ガラス又はセラミックのような脆性材料で作られたコーティング４４を備えている。あるいは、他の電気絶縁材料、特にプラスチック、ラッカなどをコーティング４４に使用することもできる。
【００５６】
センサハウジング２とセンサヘッド４との間の受入領域２１には、ガイド７が設けられ、それによって、センサヘッド４は、受入領域２１において衝撃減衰的に支持されるように保持される。さらに、ガイド７の寸法を適切に設定することにより、ガイド７は、センサヘッド４が受入領域２１にロックされるクランプ装置２３としても使用することができる。ガイド７は、好ましくは、ゴム弾性材料、例えば、約７０ショアの硬度を有するエラストマ、ゴムまたはラテックス材料でできている。
【００５７】
それぞれの接触ループ５１は、接点５５及び電気接続３５によって測定電子回路２５に接続されている（図５を参照）。測定電子回路２５は、センサケーブル接続部２６を少なくとも１つの測定導体５０に接続している。測定電子回路２５はまた、１つ又は複数の電気回路又は論理モジュールを有することができ、それにより、１つまたは複数の測定導体５０を並列または直列に切り替えることができる。図５に示すように、測定電子回路２５はまた、無線ユニット２８を有することができる。
【００５８】
測定電子回路２５の基本的な機能は、少なくとも１つの測定導体５０とセンサケーブル接続部２６との間の電気接続を確立することであり、その結果、センサシステム１は、アミューズメント乗り物の監視回路を介して測定導体５０の導電率又は電気抵抗を決定することができる。
【００５９】
測定導体５０と測定電子回路２５との間の電気的接続は、プラグ接続（差し込み接続）によって実現することができ、これは、例えば、図５ではセンサハウジング２によって、図６ではセンサヘッド４によって行われる。
【００６０】
図３に示される実施形態は、センサハウジング２の構成において図１及び図２に示される実施形態とは異なっている。センサハウジング２は、本質的に円筒形の本体であることは明らかであり、アミューズメント乗り物の、少なくとも１つの監視対象の部品に、例えば、接着、差し込み、又は他の何らかの方法で取り付けることができる。受入領域２１は、センサハウジング２の第１の端部の端面によって形成され、センサハウジング２から４つの電気接続３５が突出し、それぞれが測定導体５０又は接触ループ５１の一端に接続されるように調整される。
【００６１】
センサヘッド４は、図１及び図２に示されるセンサヘッド４と本質的に類似して構成され、角が丸い破損体頭部４２及び角が丸い破損体足部４３を備えた円筒形の容器である。
【００６２】
破損体４０の形状は、任意に構成することができ、製造上の理由から、長手方向軸３の回転対称断面が好ましい。
【００６３】
破損体４０とは反対側のセンサシステム１の側面を図４に見ることができ、センサケーブル接続部２６が４つの電気接続３５を有し、各電気接続３５が２つの接触ループ５１のうちの１つの一端に接続されていることが明らかである。
【００６４】
図５のセンサシステムの概略図は、センサハウジング２が無線ユニット２８を有することができ、これにより、測定導体５０の電気抵抗又は導電率をチェックすることができることを示している。
【００６５】
図５に示される例示的な実施形態では、無線ユニット２８は、無線で制御され、読取装置によって読み取られることができるＲＦＩＤチップである。ＲＦＩＤチップには、一意的に識別できる識別番号又は識別子を有する。ＲＦＩＤチップは、読取装置によって制御され、読み取られ、その結果、ＲＦＩＤチップは、ＵＨＦ周波数によって励起され、センサヘッド４の測定導体５０を通過する電流を生成する。測定導体５０の導電率の測定結果は、ＲＦＩＤチップ２８によって読取装置に転送され、読取装置は、例えば、アミューズメント乗り物の監視回路に接続されている。測定導体５０の導電率に応じて、監視回路により、切り替え信号、緊急停止等を開始することができる。
【００６６】
破損体４０は、破損体足部４３の領域に細長い破損体先端部４５を有し、これは、センサハウジング２との間で力が加えられることによる結合及び／又は形状の組み合わせによる結合を生成するように構成されている。この目的のために、例えば、かご状スプリングをセンサハウジング２の受入領域２１に形成してもよく、かご状スプリングは破損体先端部４５をつかみ、それをしっかりとクランプし、それによりセンサヘッド４は受入領域２１でセンサハウジング２に固定される。
【００６７】
図６は、センサヘッド４のさらなる展開の概略的断面図を示している。センサヘッド４は、導電性の媒体６で満たされ、破損体４０を形成するアンプルから作られている。センサヘッド４の少なくとも１つの測定導体５０は、導電性の媒体６によって電気的に接続された第１の電極５２及び第２の電極５３から構成される。この目的のために、第１の電極５２及び第２の電極５３は、互いに分離され、アンプルの壁４１内の媒体６内に間隔をあけて配置されて突出し、その結果、電流は、媒体内に突出するむき出しの電極５２、５３の端部の間を流れ得る。監視対象の構成部品に機械的変化が生じた場合、わずかな応力でも破損体４０に亀裂が生じ、その亀裂を通して媒体が流出し、それによって第１の電極５２と第２の電極５３との間の電気的接続が遮断され得る。好適には、破損体４０内の媒体６が加圧される。その結果、最も細かい亀裂によっても媒体６の流出が促進され、少なくとも1つの監視対象部品の機械的変化が早い段階で認識される。
【００６８】
接触ループ５１から形成される少なくとも１つの測定導体５０と、第１の電極５２、第２の電極５３及び導電性媒体６によって形成される少なくとも１つの測定導体５０との組み合わせが、本発明に従って提供され、測定の信頼性を高めることができる。
【００６９】
アミューズメント乗り物８０での、アミューズメント乗り物の安全性を高めるためのセンサシステム１の使用は、図７及び図８に示されている。
【００７０】
図７及び図８は、レールによってガイドされるアミューズメント乗り物８０、すなわちジェットコースタの部分断面図であり、図８に詳細に示されているように、２つのセンサシステム１が、レールによってガイドされる車両８５のガイドを監視するために使用される。センサシステム１はそれぞれ、２つの隣接するガイドホイール９０の間で、ガイドレール９５に面する側にセンサヘッド４がセンサハウジング２からガイドレール９５の方向にむき出しの状態で突出するように配置される。レールによってガイドされる車両８５へのセンサシステム１の固定は、固定手段３０と２つのねじ付きナット８との相互作用によって行われ、これにより、センサシステム１をレールによってガイドされる車両８５上に正確に配置することができる。
【００７１】
例えば、レールによってガイドされる車両８５に機械的変化が生じた場合、センサヘッド４がガイドレール９５と接触し、その結果、破損体４０が破損又は破壊される。媒体６は、破損体４０又はアンプルから流れ出て、隣接する構成部品に色付きのマーキングを残し得る。同時に、アンプル又は破損体４０の壁４１が破壊された場合、少なくとも１つの測定導体５０が切断され、測定導体５０又は接触ループ５１の抵抗が無限大に近づき、すなわち測定導体５０が切断のために導電しなくなる。測定導体５０の遮断は電子的手段によって検出することができる一方、媒体６による着色されたマーキングは、カメラに基づいて、例えばＵＶ光によって自動的に光学的に検出することができ、又はサービスマンの目視検査によって視覚的に検出することができる。
【００７２】
したがって、本発明によれば、アミューズメント乗り物の安全性を高めるためのセンサシステム１及び異なる方法及び複数の冗長性で、監視されるべき少なくとも１つの構成部品の機械的変化を検出することができるアミューズメント乗り物が提供される。本発明によるセンサシステム１は、有線及び無線の両方で動作させることができ、特に監視されるべき少なくとも１つの構成部品の材料疲労及び摩耗などの機械的変化を検出する少なくとも２つの異なる測定メカニズムを可能にする。一方では、電気信号が常に生成され、他方では、機械的変化によって影響を受ける部品の視覚的及び／又は光学的に知覚可能な着色が達成される。
【００７３】
本発明によるセンサシステムはまた、電気部品なしで動作することもでき、機械的変化、特に、例えば、破損体が壊れたときの蛍光液体によって材料の疲労及び摩耗が読み取られる。この場合、暗闇での読み取りも、ＵＶライトなどの適切な読取装置を使用することで可能である。
【符号の説明】
【００７４】
１…センサ
２…センサハウジング
４…センサヘッド
６…媒体
７…ガイド
８…ネジ付きナット
９…センサケーブル
２０…ハウジング本体
２１…受入領域
２２…プラグ接点
２３…クランプ装置
２５…測定電子回路
２６…センサケーブル接続部
２８…ＲＦＩＤチップ
３０…取付手段
３５…電気接続
４０…破損体
４１…壁
４２…破損体頭部
４３…破損体足部
４４…コーティング
４５…破損体先端部
５０…測定導体
５１…接触ループ
５２…第１の電極
５３…第２の電極
５５…接点
【図１】
2021524031.tif 000003
【図２】
2021524031.tif 000004
【図３】
2021524031.tif 000005
【図４】
2021524031.tif 000006
【図５】
2021524031.tif 000007
【図６】
2021524031.tif 000008
【図７】
2021524031.tif 000009
【図８】
2021524031.tif 000010
【国際調査報告】
2021524031.tif 000011
2021524031.tif 000012
2021524031.tif 000013
2021524031.tif 000014
2021524031.tif 000015
2021524031.tif 000016
2021524031.tif 000017
2021524031.tif 000018